(57)【特許請求の範囲】
【請求項１】
第１の取付具及び第２の取付具を有するフィルタカプセルと共に使用するためのマニホールドアセンブリであって、当該マニホールドアセンブリは、上側調整可能フレーム構成体と、下側フレーム構成体と、マニホールドフレームとを備え、
（ａ）前記上側調整可能フレーム構成体はブロックを備え、
前記ブロックは、前記第１の取付具を受けるための貫通穴と、第１の側壁と、第２の側壁と、前壁と、前記ブロックに装着されると共に、第１の位置と第２の位置との間で前記上側調整可能フレーム構成体を垂直に案内するように構成された、リニアガイド溝付きプレートを有するリニアガイドを受けるためのキャビティ及びロックピン開口を含む後壁と、前記第１の側壁に配置されるスライド可能なハンドルと、前記第１の側壁のスロットと、前記ブロック内に配置されるスライド可能なロックピンであって、前記スライド可能なロックピンが端部を有し、ハンドルを水平方向にスライド可能に移動させる際に前記スライド可能なロックピンを前記ロックピン開口を通じて前記ブロックから突出させることができる、スライド可能なロックピンとを備え、
前記スライド可能なハンドルは、前記第１の側壁の前記スロットを貫通する少なくとも１つのリテーナによって前記スライド可能なロックピンに接続され、
前記スライド可能なハンドルは、前記スライド可能なロックピンを移動させることにより、前記ロックピンの前記端部を第１の開口内へスライドさせて前記上側調整可能フレーム構成体を第１の位置にロックできると共に、前記ロックピンの前記端部を第２の開口内へスライドさせて前記上側調整可能フレーム構成体を第２の位置にロックでき、
前記ロックピンの前記端部が前記第１の開口又は前記第２の開口にないときに前記上側調整可能フレーム構成体は前記第１の位置と前記第２の位置との間で前記リニアガイドに沿って移動可能であり、
（ｂ）前記下側フレーム構成体は、前記第２の取付具を受けるための貫通穴を備え、
（ｃ）前記マニホールドフレームは、前記上側調整可能フレーム構成体に接続されると共に前記下側フレーム構成体に接続され、前記第１の開口及び前記第２の開口を含む、
マニホールドアセンブリ。
【請求項２】
マニホールドアセンブリは、前記フィルタカプセルが正しい位置に設置されていること及び／又は前記上側調整可能フレーム構成体が前記第２の位置にてロックされていることを当該マニホールドアセンブリのオペレータに示すインジケータを更に備える、請求項１に記載のマニホールドアセンブリ。
【請求項３】
マニホールドアセンブリにフィルタカプセルを係合するための方法であって、当該方法は、前記マニホールドアセンブリ内に第１の取付具及び第２の取付具を有する前記フィルタカプセルを配置するステップを含み、
前記マニホールドアセンブリは、上側調整可能フレーム構成体と、下側フレーム構成体と、マニホールドフレームとを備え、
（ａ）前記上側調整可能フレーム構成体はブロックを備え、
前記ブロックは、前記第１の取付具を受けるための貫通穴と、第１の側壁と、第２の側壁と、前壁と、前記ブロックに装着されると共に、第１の位置と第２の位置との間で前記上側調整可能フレーム構成体を垂直に案内するように構成された、リニアガイド溝付きプレートを有するリニアガイドを受けるためのキャビティ及びロックピン開口を含む後壁と、前記第１の側壁に配置されるスライド可能なハンドルと、前記第１の側壁のスロットと、前記ブロック内に配置されるスライド可能なロックピンであって、前記スライド可能なロックピンが端部を有し、ハンドルを水平方向にスライド可能に移動させる際に前記スライド可能なロックピンを前記ロックピン開口を通じて前記ブロックから突出させることができる、スライド可能なロックピンとを備え、
前記スライド可能なハンドルは、前記第１の側壁の前記スロットを貫通する少なくとも１つのリテーナによって前記スライド可能なロックピンに接続され、
前記スライド可能なハンドルは、前記スライド可能なロックピンを移動させることにより、前記ロックピンの前記端部を第１の開口内へスライドさせて前記上側調整可能フレーム構成体を第１の位置にロックできると共に、前記ロックピンの前記端部を第２の開口内へスライドさせて前記上側調整可能フレーム構成体を第２の位置にロックでき、
前記ロックピンの前記端部が前記第１の開口又は前記第２の開口にないときに前記上側調整可能フレーム構成体は前記第１の位置と前記第２の位置との間で前記リニアガイドに沿って移動可能であり、
（ｂ）前記下側フレーム構成体は、前記第２の取付具を受けるための貫通穴を備え、
（ｃ）前記マニホールドフレームは、前記上側調整可能フレーム構成体に接続されると共に前記下側フレーム構成体に接続され、前記第１の開口及び前記第２の開口を含み
当該方法は、更に、前記第２の取付具を前記下側フレーム構成体の前記貫通穴内に配置するステップと、前記上側調整可能フレーム構成体を前記第１の位置から前記第２の位置に移動させて、前記第１の取付具を前記上側調整可能フレーム構成体の前記貫通穴内に配置するステップと、前記移動可能なハンドルを移動させて前記上側調整可能フレーム構成体を前記第２の位置にロックするステップとを含む、
方法。
【請求項４】
流体を前記フィルタカプセルに通過させるステップを更に含む、請求項３に記載の方法。
【発明の詳細な説明】
【発明の背景】
【０００１】
[0001]マニホールドアセンブリはフィルタの交換のために使用され得る。しかしながら、改良されたマニホールドアセンブリも必要とされている。
【発明の概要】
【０００２】
[0002]本発明の実施形態は、第１の取付具及び第２の取付具を有するフィルタカプセルと共に使用するためのマニホールドアセンブリを提供し、このマニホールドアセンブリは、上側調整可能フレーム構成体と、下側フレーム構成体と、マニホールドフレームとを備え、（ａ）上側調整可能フレーム構成体はブロックを備え、ブロックは、第１の取付具を受けるための貫通穴と、第１の側壁と、第２の側壁と、前壁と、ブロックに装着されると共に、第１の位置と第２の位置との間で上側調整可能フレーム構成体を垂直に案内するように構成された、リニアガイド溝付きプレートを有するリニアガイドを受けるためのキャビティ及びロックピン開口を含む後壁と、第１の側壁に配置されるスライド可能なハンドルと、第１の側壁のスロットと、ブロック内に配置されるスライド可能なロックピンであって、スライド可能なロックピンが端部を有し、ハンドルを水平方向にスライド可能に移動させる際にスライド可能なロックピンをロックピン開口を通じてブロックから突出させることができる、スライド可能なロックピンとを備え、スライド可能なハンドルは、第１の側壁のスロットを貫通する少なくとも１つのリテーナによってスライド可能なロックピンに接続され、スライド可能なハンドルは、スライド可能なロックピンを移動させることにより記ロックピン端部を第１の開口内へスライドさせて上側調整可能フレーム構成体を第１の位置にロックできると共に、ロックピン端部を第２の開口内へスライドさせて上側調整可能フレーム構成体を第２の位置にロックでき、ロックピン端部が第１の開口又は第２の開口にないときに上側調整可能フレーム構成体は第１の位置と前記第２の位置との間でリニアガイドに沿って移動可能であり、（ｂ）下側フレーム構成体は、第２の取付具を受けるための貫通穴を備え、（ｃ）マニホールドフレームは、上側調整可能フレーム構成体に接続されると共に下側フレーム構成体に接続され、第１の開口及び前記第２の開口を含む。
【０００３】
[0003]他の実施形態では、マニホールドアセンブリにフィルタカプセルを係合するための方法が提供され、この方法は、マニホールドアセンブリ内に第１の取付具及び第２の取付具を有するフィルタカプセルを配置するステップを含み、マニホールドアセンブリは、上側調整可能フレーム構成体と、下側フレーム構成体と、マニホールドフレームとを備え、（ａ）上側調整可能フレーム構成体はブロックを備え、ブロックは、第１の取付具を受けるための貫通穴と、第１の側壁と、第２の側壁と、前壁と、ブロックに装着されると共に、第１の位置と第２の位置との間で上側調整可能フレーム構成体を垂直に案内するように構成された、リニアガイド溝付きプレートを有するリニアガイドを受けるためのキャビティ及びロックピン開口を含む後壁と、第１の側壁に配置されるスライド可能なハンドルと、第１の側壁のスロットと、ブロック内に配置されるスライド可能なロックピンであって、スライド可能なロックピンが端部を有し、ハンドルを水平方向にスライド可能に移動させる際にスライド可能なロックピンをロックピン開口を通じてブロックから突出させることができる、スライド可能なロックピンとを備え、スライド可能なハンドルは、第１の側壁のスロットを貫通する少なくとも１つのリテーナによってスライド可能なロックピンに接続され、スライド可能なハンドルは、スライド可能なロックピンを移動させることにより記ロックピン端部を第１の開口内へスライドさせて上側調整可能フレーム構成体を第１の位置にロックできると共に、ロックピン端部を第２の開口内へスライドさせて上側調整可能フレーム構成体を第２の位置にロックでき、ロックピン端部が第１の開口又は第２の開口にないときに上側調整可能フレーム構成体は第１の位置と前記第２の位置との間でリニアガイドに沿って移動可能であり、（ｂ）下側フレーム構成体は、第２の取付具を受けるための貫通穴を備え、（ｃ）マニホールドフレームは、上側調整可能フレーム構成体に接続されると共に下側フレーム構成体に接続され、第１の開口及び前記第２の開口を含み、また、この方法は、第２の取付具を下側フレーム構成体の貫通穴内に配置するステップと、上側調整可能フレーム構成体を第１の位置から第２の位置に移動させて、第１の取付具を上側調整可能フレーム構成体の貫通穴内に配置するステップと、移動可能なハンドルを移動させて上側調整可能フレーム構成体を第２の位置にロックするステップとを更に含む。
【図面の簡単な説明】
【０００４】
【図１】本発明の一実施形態に係るマニホールドアセンブリの斜視図であり、上側調整可能フレーム構成体が第２の位置でロックされているところを示し、また、例示的な上側及び下側接続ポート取付具も示す。
【図２】図１に示されるマニホールドアセンブリの分解図である。
【図３】図１に示されるマニホールドアセンブリにおける上側調整可能フレーム構成体の分解図である。
【図４Ａ】第２の流体取付具流体ポートを含む下側接続ポート取付具も示す、図１に示されるマニホールドアセンブリにおける下側フレーム構成体の断面図であり、断面図には下側接続ポート取付具ナットも示される。
【図４Ｂ】取付具を通過する導管の一部も含む、マニホールドアセンブリに接続される例示的な接続ポート取付具の断面図を示し、導管がマニホールドアセンブリと流体連通している。
【図５Ａ】図１に示されるマニホールドアセンブリの斜視図であり、上側調整可能フレーム構成体のロックを解除するために移動可能なハンドルが移動されており、上側調整可能フレーム構成体が第２の位置でロック解除されている状態を示す。
【図５Ｂ】図５Ａに示されるマニホールドアセンブリ内に配置されようとしている第１の取付具及び第２の取付具を有するフィルタカプセルを示し、上側調整可能フレーム構成体が第１の位置に向けて垂直上方に移動されており、フィルタカプセルをマニホールドアセンブリ内に配置する前に上側調整可能フレーム構成体を第１の位置にロックするべく移動可能なハンドルが移動されている状態を示す。
【図５Ｃ】フィルタカプセルがマニホールドアセンブリ内に配置されるように垂直に保たれて水平に移動されることを側面図で示し、上側調整可能フレーム構成体を第１の位置でロック解除するために移動可能なハンドルが移動されており、第２の取付具が第２の取付具流れポートと係合されている状態を示す。
【図５Ｄ】図５Ｃに示されるマニホールドアセンブリ内に配置されるフィルタカプセルを示し、上側調整可能フレーム構成体が第２の位置へ向けて垂直下方に移動されており、上側調整可能フレーム構成体を第２の位置にロックするために移動可能なハンドルが移動されており、第１の取付具が、第１の取付具流れポートと係合されると共に、通常は付勢されて閉鎖される逆止弁を押し上げて流体流路を開放し、第１の取付具と第１の取付具流れポートとの間及び第２の取付具と第２の取付具流体流れポートとの間にラジアルシールが形成されている状態を示す。
【図６】図１に示されるマニホールドアセンブリの実施形態の正面図であり、フィルタカプセルが挿入された場合に、上側調整可能フレーム構成体の上壁が内向きの「ｌｏｃｋｅｄ」と表示された矢印と位置があったときに、フィルタカプセルが正しい位置にあり、上側調整可能フレーム構成体が第２の位置にてロックされているという状態を示す。
【発明を実施するための形態】
【０００５】
[0014]本発明の一実施形態によれば、第１の取付具及び第２の取付具を有するフィルタカプセルと共に使用するためのマニホールドアセンブリを提供し、このマニホールドアセンブリは、上側調整可能フレーム構成体と、下側フレーム構成体と、マニホールドフレームとを備え、（ａ）上側調整可能フレーム構成体はブロックを備え、ブロックは、第１の取付具を受けるための貫通穴と、第１の側壁と、第２の側壁と、前壁と、ブロックに装着されると共に、第１の位置と第２の位置との間で上側調整可能フレーム構成体を垂直に案内するように構成された、リニアガイド溝付きプレートを有するリニアガイドを受けるためのキャビティ及びロックピン開口を含む後壁と、第１の側壁に配置されるスライド可能なハンドルと、第１の側壁のスロットと、ブロック内に配置されるスライド可能なロックピンであって、スライド可能なロックピンが端部を有し、ハンドルを水平方向にスライド可能に移動させる際にスライド可能なロックピンをロックピン開口を通じてブロックから突出させることができる、スライド可能なロックピンとを備え、スライド可能なハンドルは、第１の側壁のスロットを貫通する少なくとも１つのリテーナによってスライド可能なロックピンに接続され、スライド可能なハンドルは、スライド可能なロックピンを移動させることにより記ロックピン端部を第１の開口内へスライドさせて上側調整可能フレーム構成体を第１の位置にロックできると共に、ロックピン端部を第２の開口内へスライドさせて上側調整可能フレーム構成体を第２の位置にロックでき、ロックピン端部が第１の開口又は第２の開口にないときに上側調整可能フレーム構成体は第１の位置と前記第２の位置との間でリニアガイドに沿って移動可能であり、（ｂ）下側フレーム構成体は、第２の取付具を受けるための貫通穴を備え、（ｃ）マニホールドフレームは、上側調整可能フレーム構成体に接続されると共に下側フレーム構成体に接続され、第１の開口及び前記第２の開口を含む。
【０００６】
[0015]他の実施形態では、マニホールドアセンブリにフィルタカプセルを係合するための方法が提供され、この方法は、マニホールドアセンブリ内に第１の取付具及び第２の取付具を有するフィルタカプセルを配置するステップを含み、マニホールドアセンブリは、上側調整可能フレーム構成体と、下側フレーム構成体と、マニホールドフレームとを備え、（ａ）上側調整可能フレーム構成体はブロックを備え、ブロックは、第１の取付具を受けるための貫通穴と、第１の側壁と、第２の側壁と、前壁と、ブロックに装着されると共に、第１の位置と第２の位置との間で上側調整可能フレーム構成体を垂直に案内するように構成された、リニアガイド溝付きプレートを有するリニアガイドを受けるためのキャビティ及びロックピン開口を含む後壁と、第１の側壁に配置されるスライド可能なハンドルと、第１の側壁のスロットと、ブロック内に配置されるスライド可能なロックピンであって、スライド可能なロックピンが端部を有し、ハンドルを水平方向にスライド可能に移動させる際にスライド可能なロックピンをロックピン開口を通じてブロックから突出させることができる、スライド可能なロックピンとを備え、スライド可能なハンドルは、第１の側壁のスロットを貫通する少なくとも１つのリテーナによってスライド可能なロックピンに接続され、スライド可能なハンドルは、スライド可能なロックピンを移動させることにより記ロックピン端部を第１の開口内へスライドさせて上側調整可能フレーム構成体を第１の位置にロックできると共に、ロックピン端部を第２の開口内へスライドさせて上側調整可能フレーム構成体を第２の位置にロックでき、ロックピン端部が第１の開口又は第２の開口にないときに上側調整可能フレーム構成体は第１の位置と前記第２の位置との間でリニアガイドに沿って移動可能であり、（ｂ）下側フレーム構成体は、第２の取付具を受けるための貫通穴を備え、（ｃ）マニホールドフレームは、上側調整可能フレーム構成体に接続されると共に下側フレーム構成体に接続され、第１の開口及び前記第２の開口を含み、また、この方法は、第２の取付具を下側フレーム構成体の貫通穴内に配置するステップと、上側調整可能フレーム構成体を第１の位置から第２の位置に移動させて、第１の取付具を上側調整可能フレーム構成体の貫通穴内に配置するステップと、移動可能なハンドルを移動させて上側調整可能フレーム構成体を第２の位置にロックするステップとを更に含む。
【０００７】
[0016]好適には、フィルタカプセルは、マニホールドアセンブリ内に設置可能であり、容易に接続及び取り外し可能であり、及び、密閉空間内で迅速に交換可能である。加えて、各フィルタカプセル取付具をマニホールドアセンブリに個別に接続することなくフィルタカプセルを簡単な動きで設置できる。更に、フィルタカプセルを回転させることなくフィルタカプセルをマニホールドアセンブリ内に挿入して係合させることができる。
【０００８】
[0017]本発明の実施形態は、例えば、Ｐａｌｌ  Ｃｏｒｐｏｒａｔｉｏｎ（ニューヨーク州のイーストヒルズ）から入手可能なものを含む、様々なフィルタ及びフィルタカプセルと共に使用され得る。フィルタ及びフィルタカプセルは、化学機械平坦化（ＣＭＰ）スラリーなど、幅広い範囲のスラリー及び液体を含むがこれらに限定されない様々な流体を濾過するのに適している。
【０００９】
[0018]以下、本発明の構成要素のそれぞれについて更に詳しく説明する。なお、同様の構成要素は同様の参照数字を有する。
【００１０】
[0019]図１及び図２は、上側調整可能フレーム構成体１００を具備するマニホールドアセンブリ６００の一実施形態を示し、上側調整可能フレーム構成体１００は、上壁１５１と、底壁１５２と、第１の取付具を受けるための貫通穴１０１（図３に示される）であって、上壁及び底壁を貫通する貫通穴１０１と、第１の側壁１５３と、第２の側壁１５４と、前壁１５５と、ロックピン開口１５６Ａ、及びレール１９２上をスライドする溝付きプレート１９１を含むリニアガイド１９０を受けるためのキャビティ１５６Ｂを含む後壁１５６とを有するブロック１５０を備え、リニアガイドは、レール１９２を介してブロックに装着される（レールは、ボルト及び／又はねじなどのリテーナ１９３Ａ，１９３Ｂ或いは圧入によってブロックに装着される）と共に、第１の位置と第２の位置との間で調整可能フレーム構成体を垂直に案内するように配置される。第１の側壁にはスライド可能なハンドル１７５が配置され、このハンドルは前壁又は前面１７１を有し、また、第１の側壁にはスロット１７６があり、ブロック内にはスライド可能なロックピン１７７が配置され、このロックピンは端部１７７Ａを有し、この端部は、ハンドルを水平方向にスライド可能に移動させる際にブロックの方に（例えばブロック内に）内に引き込まれることができると共に、ブロックから（例えばロックピン開口１５６Ａを通じて）突出されることができ、スライド可能なハンドルは、第１の側壁のスロットを貫通する少なくとも１つのリテーナ（開口１７５Ｃ，１７５Ｄでロックピン１７７に接続されるボルト及び／又はねじ（又は圧入）などの２つのリテーナ１７５Ａ，１７５Ｂが示される）によってスライド可能なロックピンに接続され、スライド可能なハンドルは、スライド可能なロックピンを移動させることにより、ロックピン端部を第１の開口１９５Ａ内へスライドさせて上側調整可能フレーム構成体を第１の位置にロックできると共に、ロックピン端部を第２の開口１９５Ｂ内へスライドさせて調整可能フレーム構成体を第２の位置にロックでき、上側調整可能フレーム構成体は、ロックピン端部が第１の開口又は第２の開口にないときに第１の位置と第２の位置との間でリニアガイドに沿って移動可能である。（ｂ）下側フレーム構成体２００が、第２の取付具を受けるための貫通穴２０１を備え、（ｃ）マニホールドフレーム３００が、上側調整可能フレーム構成体に接続されると共に下側フレーム構成体に接続され、このマニホールドフレームは第１の開口及び第２の開口を含む。
【００１１】
[0020]図示実施形態において、上側調整可能フレーム構成体は、ブロックが下側の第２の前壁１５５Ａと、下側の第２の底壁１５２Ａと、上壁１５１から下側の第２の底壁１５２Ａに延びる、マニホールドフレーム３００と面する側壁１５３及び１５４の部分と、上壁１５１から底壁１５２に延びる側壁１５３及び１５４の別の部分とを有するような、略「Ｌ」字状を有する。
【００１２】
[0021]任意的であるが、図１及び図３に示されるように、スライド可能なロックピン１７７は、保持リング１７８によってロックピン開口１５４Ａから突出することが防止され、また、任意的な位置決めピン１７７’が（例えばねじ式又は圧入によって）ロックピン１７７に接続され、位置決めピン１７７’は端部１７７Ａを備え、ロックピン１７７を保持リング１７８に通してスライドさせることができ、端部１７７Ａを第１の開口１９５Ａ内又は第２の開口１９５Ｂ内へスライドさせることができる。或いは、スライド可能なロックピン１７７自体が端部１７７Ａを有してもよい。
【００１３】
[0022]図示実施形態では（例えば、図１及び図２に示されるように）、下側フレーム構成体２００が上壁２５１及び底壁２５２を備え、第２の取付具を受けるための貫通穴２０１は、上壁及び底壁、第１の側壁２５３、第２の側壁２５４、前壁２５５、及び、後壁２５６を貫通する。
【００１４】
[0023]図示実施形態（例えば、図１）では、前面３５５及び後面３５６を有するマニホールドフレーム３００が前面のキャビティ１９６内に配置されるワッシャ１９５を含み、この場合、ワッシャは第１及び第２の開口１９５Ａ，１９５Ｂを有するが、ワッシャは任意的であり、開口がマニホールドフレームの前面３５５に直接にあってもよい。
【００１５】
[0024]上側調整可能フレーム構成体及び下側フレーム構成体は、当該技術分野で知られるように、例えばねじ及び／又はボルトによってマニホールドフレームに接続され得る。
【００１６】
[0025]図１はまた、上側接続ポート取付具７０１及び下側接続ポート取付具７０２を示す。
【００１７】
[0026]以下で更に詳細に説明するように、上側及び下側フレーム構成体のそれぞれは、上側フレーム構成体の貫通穴１０１を通して、また下側フレーム構成体の貫通穴２０１を通してフィルタカプセル取付具を受けるように構成される。
【００１８】
[0027]図１及び図２は、ナット７０１Ａ，７０２Ａと、中空体７０１Ｂ，７０２Ｂとを有する上側及び下側接続ポート取付具７０１，７０２を示す。図３に示される例示的な中空体は、第１の取付具流体流れポート７０１Ｃを含み、図４Ａに示される例示的な中空体は第２の取付具流体流れポート７０２Ｃを含む。一般に、図４Ｂに示されるように、中空体及びナットは対応するねじ部を含み、また、中空体の端部は、ナットが中空体のねじ部に締め付けられる際に導管がマニホールドアセンブリと流体連通できるように導管（チューブ；ここではフレア状の端部を伴って示される）の内径に緊密に嵌合するべく構成される。図示しないが、中空体は、例えば、ねじ式、圧入などによって、当該技術分野で知られるようにフレーム構成体に取り付けられ得る。
【００１９】
[0028]様々な接続ポート取付具が、本発明の実施形態にしたがった使用に適しており、当該技術分野で知られている。
【００２０】
[0029]フィルタカプセルをマニホールドアセンブリに係合するための方法の一実施形態によれば、図５Ａ〜図５Ｄを参照（マニホールドアセンブリの上側調整可能フレーム構成体１００が最初に第２の位置（図５Ａ）から第１の位置（図５Ｂ）へ移動される）のために使用すると、フィルタカプセルを垂直に保ちながら水平に移動させて、第１の取付具９０１及び第２の取付具９０２を有するフィルタカプセル９００が一実施形態のマニホールドアセンブリ内に配置され、また、第２の取付具が貫通穴２０１内に配置される間、フィルタカプセルが垂直に保たれつつ下方に移動される（図５Ｃ）。
【００２１】
[0030]図１、図５Ｂ及び図５Ｄに示されるように、上側調整可能フレーム構成体が第１又は第２の位置にロックされると、ハンドル前面１７１がブロック前壁１５５と同じ平面内にある。したがって、ハンドル前面がブロック前壁と同じ平面内になければ、ユーザは、ロックピンが第１又は第２の開口になく、上側フレーム構成体が所定位置でロックされないことを知る。
【００２２】
[0031]ハンドル１７５を水平に移動させて上側調整可能フレーム構成体を第１の位置（図５Ｃ）からロック解除すると、上側調整可能フレーム構成体が第２の位置へ向けて下方に移動され、第１の取付具が貫通穴１０１内に配置され、上側調整可能フレーム構成体を第２の位置でロックするべくハンドルが移動される（図５Ｄ）。
【００２３】
[0032]したがって、フィルタカプセルを回転させることなくフィルタカプセルをマニホールドアセンブリ内に挿入して係合させることができる。
【００２４】
[0033]幾つかの実施形態において、マニホールドアセンブリは、フィルタカプセルが正しい位置に設置されていること及び／又は上側調整可能フレーム構成体が第２の位置にてロックされていることをこのアセンブリのオペレータに示すインジケータを有する。図６に示されるように、フィルタカプセルが挿入された場合に、上側調整可能フレーム構成体の上壁１５１が内向きの「ｌｏｃｋｅｄ」と表示された矢印と位置があったときには、フィルタカプセルが正しい位置にあり、上側調整可能フレーム構成体は第２の位置にてロックされている。
【００２５】
[0034]好ましくは、フィルタカプセルをマニホールドアセンブリ内に設置することができ、また、第１の取付具と第１の取付具流体流れポートとの間及び第２の取付具と第２の取付具流体流れポートとの間にラジアルシールが形成される。
【００２６】
[0035]フィルタ入口取付具及びフィルタ出口取付具のための様々な形態を有するフィルタカプセルと共に用いるこれらの実施形態において、貫通穴は、フィルタカプセルをマニホールドアセンブリ内に一方向でしか設置できないように寸法付けられ、それにより、使用中にフィルタカプセルの正確な向きを確保できる。
【００２７】
[0036]流体をフィルタカプセルに通して流体を濾過することができる。フィルタカプセルの第１の取付具は、フィルタ入口取付具又はフィルタ出口取付具であってもよい。一般に、フィルタカプセルの第１の取付具は出口取付具であり、それにより、濾過中、濾過された流体は、フィルタ出口取付具から移行して第１の取付具流体流れポートを通過する。
【００２８】
[0037]濾過が完了された時点で、移動可能なプレートを移動させてハンドルを回転させた後、マニホールドを第１の取付具離脱位置に配置でき、また、フィルタカプセルを取り外して新たなカプセルを挿入できる。
【００２９】
[0038]本明細書中に挙げられる公開公報、特許出願、及び、特許を含む全ての引用文献は、あたかもそれぞれの引用文献が参照により組み入れられるように個別に且つ具体的に示唆されてその全体が本明細書中に記載されたかのような同じ程度まで参照により本願に組み入れられる。
【００３０】
[0039]発明を説明する文脈の中（特に、以下の特許請求の範囲との関連）での用語「１つの（ａ）」、「１つの（ａｎ）」、「その（ｔｈｅ）」、及び、「少なくとも１つ」、並びに、同様の指示対象の使用は、本明細書中で別段に示唆されなければ或いは文脈により明らかに矛盾しなければ、単数形及び複数形の両方を網羅するように解釈されるべきである。その後に１つ以上の項目のリストが続く用語「少なくとも１つ」の使用（例えば、「Ａ及びＢのうちの少なくとも１つ」）は、本明細書中で別段に示唆されなければ或いは文脈により明らかに矛盾しなければ、挙げられた項目から選択される１つの項目（Ａ又はＢ）或いは挙げられた項目のうちの２つ以上の任意の組み合わせ（Ａ及びＢ）を意味するように解釈されるべきである。用語「備える」、「有する」、「含む」、及び、「包含する」は、別段に言及されなければ、非制約的な用語（すなわち、「〜を含むがそれに限定されない」を意味する）として解釈されるべきである。本明細書中の値の範囲の列挙は、本明細書中で別段に示唆されなければ、単にその範囲内に入るそれぞれの別個の値に個別に言及する省略法としての機能を果たそうとしているにすぎず、また、それぞれの別個の値は、あたかもそれが本明細書中に個別に記載されたかのように明細書中に組み入れられる。本明細書中に記載される全ての方法は、本明細書中で別段に示唆されなければ或いは文脈により明らかに矛盾しなければ、任意の適した順序で行なうことができる。本明細書中で与えられる任意の及び全ての例又は典型的な言葉（例えば「など」）の使用は、単に本発明をより良く解明しようとしているにすぎず、別段に特許請求の範囲に記載されなければ、本発明の範囲に限定をもたらさない。明細書中の言葉は、特許請求の範囲に記載されない任意の要素が本発明の実施に不可欠であると見なすように解釈されるべきでない。
【００３１】
[0040]本発明を実施するために発明者等に知られる最良の形態を含むこの発明の好ましい実施形態が本明細書中に記載される。これらの好ましい実施形態の変形は、前述の説明を読むと当業者に明らかになり得る。発明者等は、当業者がそのような変形を必要に応じて使用することを予期し、また、発明者等は、本明細書中に具体的に記載される方法以外の方法で本発明が実際されることを意図する。したがって、この発明は、適用可能な法律により許容されるように、本明細書に添付された特許請求の範囲に挙げられる主題の全ての改変形態及び均等物を含む。また、前述の要素のその全ての想定し得る変形における任意の組み合わせは、本明細書中で別段に示唆されなければ或いは文脈により明らかに矛盾しなければ、本発明によって包含される。
【符号の説明】
【００３２】
１００…上側調整可能フレーム構成体、１０１…貫通穴、１５０…ブロック、１５１…上壁、１５２…底壁、１５３…第１の側壁、１５４…第２の側壁、１５４Ａ…ロックピン開口、１５５…前壁、１５６…後壁、１５６Ａ…ロックピン開口、１５６Ｂ…キャビティ、１７１…前壁又は前面、１７５…ハンドル、１７６…第１の側壁のスロット、１７７…スライド可能なロックピン、１７７Ａ…端部、１７８…保持リング、１９０…リニアガイド、１９１…溝付きプレート、１９２…レール、１９３Ａ，１９３Ｂ…リテーナ、１９５Ａ…第１の開口、１９５Ｂ…第２の開口、２００…下側フレーム構成体、２０１…貫通穴、２５１…上壁、２５２…底壁、２５３…第１の側壁、２５４…第２の側壁、２５５…前壁、２５６…後壁、３００…マニホールドフレーム、３５５…前面、３５６…後面、６００…マニホールドアセンブリ、７０１…上側接続ポート取付具、７０１Ａ，７０２Ａ…ナット、７０１Ｂ，７０２Ｂ…中空体、７０１Ｃ…第１の取付具流体流れポート、７０２…下側接続ポート取付具、７０２Ｃ…第２の取付具流体流れポート、９００…フィルタカプセル、９０１…第１の取付具、９０２…第２の取付具
【図１】
0006957799.tif 000002
【図２】
0006957799.tif 000003
【図３】
0006957799.tif 000004
【図４Ａ】
0006957799.tif 000005
【図４Ｂ】
0006957799.tif 000006
【図５Ａ】
0006957799.tif 000007
【図５Ｂ】
0006957799.tif 000008
【図５Ｃ】
0006957799.tif 000009
【図５Ｄ】
0006957799.tif 000010
【図６】
0006957799.tif 000011